(57)【要約】  新たなＴＤＤ又はＦＤＤネットワークのアクティブに使用されるスペクトルを同時に利用するための、並びに分散入力分散出力（ＤＩＤＯ）技法を、同じスペクトルの新たなネットワーク及び既存のネットワークの両方で使用することを可能にするための、システム及び方法が記載される。
2017519390.tif 000002
【特許請求の範囲】
【請求項１】
ＦＤＤモードで動作する無線ネットワークであって、
ＴＤＤモードで動作する無線ネットワークが、同じスペクトルで同時に動作する、無線ネットワーク。
【請求項２】
ＦＤＤアップリンクと同じスペクトルで動作する、ＴＤＤモードで動作する前記無線ネットワークを更に含む、請求項１に記載のシステム。
【請求項３】
ＦＤＤダウンリンクと同じスペクトルで動作する、ＴＤＤモードで動作する前記無線ネットワークを更に含む、請求項１に記載のシステム。
【請求項４】
両方の無線ネットワークが同じスペクトルで同時に動作する、ＦＤＤモードで動作する第１の無線ネットワーク、ＦＤＤモードで動作する第２の無線ネットワーク。
【請求項５】
前記第２の無線ネットワークのダウンリンクの同じスペクトルで同時に動作する、前記第１の無線ネットワークのアップリンクを更に含む、請求項４に記載のシステム。
【発明の詳細な説明】
【技術分野】
【０００１】
（関連出願の相互参照）
本出願は、「Ｓｙｓｔｅｍｓ  Ａｎｄ  Ｍｅｔｈｏｄｓ  Ｆｏｒ  Ｃｏｎｃｕｒｒｅｎｔ  Ｓｐｅｃｔｒｕｍ  Ｕｓａｇｅ  Ｗｉｔｈｉｎ  Ａｃｔｉｖｅｌｙ  Ｕｓｅｄ  Ｓｐｅｃｔｒｕｍ」と題される２０１４年４月１６日出願の同時係属中の米国仮特許出願第６１／９８０，４７９号の利益及び優先権を主張する。
【０００２】
本出願は、以下の同時係属中の米国特許出願及び米国仮出願に関連し得る：
「Ｓｙｓｔｅｍｓ  ａｎｄ  Ｍｅｔｈｏｄｓ  ｆｏｒ  Ｍａｐｐｉｎｇ  Ｖｉｒｔｕａｌ  Ｒａｄｉｏ  Ｉｎｓｔａｎｃｅｓ  ｉｎｔｏ  Ｐｈｙｓｉｃａｌ  Ａｒｅａｓ  ｔｏ  Ｃｏｈｅｒｅｎｃｅ  ｉｎ  Ｄｉｓｔｒｉｂｕｔｅｄ  Ａｎｔｅｎｎａ  Ｗｉｒｅｌｅｓｓ  Ｓｙｓｔｅｍｓ」と題される米国仮出願第６１／９３７，２７３号、
「Ｓｙｓｔｅｍｓ  ａｎｄ  Ｍｅｔｈｏｄｓ  ｆｏｒ  Ｒａｄｉｏ  Ｆｒｅｑｕｅｎｃｙ  Ｃａｌｉｂｒａｔｉｏｎ  Ｅｘｐｌｏｉｔｉｎｇ  Ｃｈａｎｎｅｌ  Ｒｅｃｉｐｒｏｃｉｔｙ  ｉｎ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国出願第１３／８４４，３５５号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９８４号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９７１号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９５０号、
「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」と題される米国出願第１４／１５６，２５４号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１４／０８６，７００号、
「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」と題される米国出願第１４／０２３，３０２号、
「Ｓｙｓｔｅｍｓ  ａｎｄ  Ｍｅｔｈｏｄｓ  ｆｏｒ  Ｗｉｒｅｌｅｓｓ  Ｂａｃｋｈａｕｌ  ｉｎ  Ｄｉｓｔｒｉｂｕｔｅｄ−Ｉｎｐｕｔ  Ｄｉｓｔｒｉｂｕｔｅｄ−Ｏｕｔｐｕｔ  Ｗｉｒｅｌｅｓｓ  Ｓｙｓｔｅｍｓ」と題される米国出願第１３／６３３，７０２号、
「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」と題される米国出願第１３／４７５，５９８号、
「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」と題される米国出願第１３／４６４，６４８号、
「Ｓｙｓｔｅｍ  ａｎｄ  Ｍｅｔｈｏｄ  ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」と題される米国出願第１３／４６１，６８２号、
「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」と題される米国出願第１３／２３３，００６号、
「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」と題される米国出願第１３／２３２，９９６号、
「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」と題される米国出願第１２／８０２，９８９号、
「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）Ｃｏｍｍｕｎｉｃａｔｉｏｎ  Ｓｙｓｔｅｍｓ」と題される米国出願第１２／８０２，９８８号、
「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」と題される米国出願第１２／８０２，９７５号、
「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」と題される米国出願第１２／８０２，９７４号、
「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）Ｎｅｔｗｏｒｋ」と題される米国出願第１２／８０２，９５８号、
２０１４年２月１８日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国特許第８，６５４，８１５号、
２０１３年１０月２９日発行の「Ｓｙｓｔｅｍ  ａｎｄ  Ｍｅｔｈｏｄ  ｆｏｒ  ＤＩＤＯ  Ｐｒｅｃｏｄｉｎｇ  Ｉｎｔｅｒｐｏｌａｔｉｏｎ  ｉｎ  Ｍｕｌｔｉｃａｒｒｉｅｒ  Ｓｙｓｔｅｍｓ」と題される米国特許第８，５７１，０８６号、
２０１３年９月２４日発行の「Ｓｙｓｔｅｍｓ  ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」と題される米国特許第８，５４２，７６３号、
２０１３年４月２３日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国特許第８，４２８，１６２号、
２０１２年５月１日発行の「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」と題される米国特許第８，１７０，０８１号、
２０１２年４月１７日発行の「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国特許第８，１６０，１２１号、
２０１１年２月８日発行の「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）Ｃｏｍｍｕｎｉｃａｔｉｏｎ  Ｕｓｉｎｇ  Ｓｐａｃｅ−Ｔｉｍｅ  Ｃｏｄｉｎｇ．」と題される米国特許第７，８８５，３５４号、
２０１０年５月４日発行の「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」と題される米国特許第７，７１１，０３０号、
２００９年１２月２２日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，６３６，３８１号、
２００９年１２月１５日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，６３３，９９４号、
２００９年１０月６日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，５９９，４２０号、
２００８年８月２６日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，４１８，０５３号。
【背景技術】
【０００３】
周波数分割二重（「ＦＤＤ」）モード及び時間分割二重（「ＴＤＤ」）モードの両方が、無線通信システムで一般的に使用されている。例えば、ＬＴＥ規格は、ＦＤＤ及びＴＤＤモードの両方をサポートし、別の例としては、８０２．１１バージョン（例えば、Ｗｉ−Ｆｉ）は、ＴＤＤモードの動作をサポートする。
【０００４】
ＬＴＥの場合、種々の番号のバンドは、「進化型ユニバーサル地上無線アクセス（Evolved UMTS Terrestrial Radio Access）」（Ｅ−ＵＴＲＡ）エアインタフェースと称されるものの範囲内で定義される。各Ｅ−ＵＴＲＡバンドは、特定のバンド数を規定するだけではなく、そのバンドがＦＤＤ又はＴＤＤであるか、及びどの帯域幅がバンド内でサポートされているかも定義する（例えば、Ｅ−ＵＴＲＡバンドのリスト及びそれらの規格に関しては、ｈｔｔｐ：／／ｅｎ．ｗｉｋｉｐｅｄｉａ．ｏｒｇ／ｗｉｋｉ／ＬＴＥ＿ｆｒｅｑｕｅｎｃｙ＿ｂａｎｄｓ＃Ｆｒｅｑｕｅｎｃｙ＿ｂａｎｄｓ＿ａｎｄ＿ｃｈａｎｎｅｌ＿ｂａｎｄｗｉｄｔｈｓを参照されたい）。例えば、バンド７は、アップリンク（「ＵＬ」）に対して２，５００〜２，５７０ＭＨｚ、ダウンリンク（「ＤＬ」）に対して２，６２０〜２，６９０の周波数範囲を使用するとして定義されるＦＤＤバンドであり、ＵＬ及びＤＬバンドの各々内の５、１０、１５、２０、及びＭＨｚ信号帯域幅をサポートする。
【０００５】
多くの場合、Ｅ−ＵＴＲＡバンドは重なる。例えば、異なるバンドは、異なる市場又は領域に割り当てられた共通のスペクトルであり得る。例えば、バンド４１は、ＵＬ及びＤＬの両方に対して２，４９６〜２，６９０ＭＨｚの周波数範囲を使用するＴＤＤバンドであり、これはＦＤＤバンド７においてＵＬ及びＤＬ範囲の両方と重なる。現在、バンド４１は、米国においてＳｐｒｉｎｔによって使用されており、一方バンド７は、カナダの周辺国においてＲｏｇｅｒｓ  Ｗｉｒｅｌｅｓｓによって使用されている。このため、米国では、２，５００〜２，５７０ＭＨｚがＴＤＤスペクトルであり、一方カナダでは、その同じ周波数範囲が、ＦＤＤスペクトルのＵＬである。
【０００６】
典型的には、モバイル装置は無線ネットワークに取り付けると、１つ以上の基地局からの伝送に関してバンド検索を通して走査し、典型的には取り付け手順の間に、基地局は、ネットワークによって使用される帯域幅及び使用中のプロトコルの詳細等のネットワークの特徴を伝送する。例えば、ＬＴＥ装置が米国において２，６２０〜２，６９０ＭＨｚを走査する場合、スペクトルをバンド４１と識別するｅＮｏｄｅＢによって伝送されるＬＴＥ  ＤＬフレームを受信することがあり、ＬＴＥ装置がバンド４１及びＴＤＤをサポートする場合、そのバンドにおいてＴＤＤモードでｅＮｏｄｅＢに接続することを試みることもある。同様に、ＬＴＥ装置がカナダにおいて２，６２０〜２，６９０ＭＨｚを走査する場合、スペクトルをバンド７と識別するｅＮｏｄｅＢによって伝送されるＬＴＥ  ＤＬフレームを受信することがあり、ＬＴＥ装置がバンド７及びＦＤＤをサポートする場合、バンド７においてＦＤＤモードでｅＮｏｄｅＢに接続することを試みることもある。
【０００７】
世界中に展開されるほとんどの早期ＬＴＥネットワークは、ＦＤＤモードを使用したが（例えば、Ｖｅｒｉｚｏｎ，ＡＴ＆Ｔ）、ＴＤＤモードが、米国（ＳｐｒｉｎｔがＴＤＤを展開している）等の広範囲のＦＤＤ対象範囲を有する市場、及び中国（Ｃｈｉｎａ  ＭｏｂｉｌｅがＴＤＤを展開している）等の広範囲のＬＴＥ対象範囲をまだ有していない市場の両方において、次第に使用されている。多くの場合、単一の運用者は、ＦＤＤ及びＴＤＤの両方を異なる周波数で展開し（例えば、Ｓｐｒｉｎｔは、米国において異なる周波数のＦＤＤ  ＬＴＥ及びＴＤＤ  ＬＴＥの両方を運用する）、使用されるバンドに応じて両方のモードで動作することができるＬＴＥ装置を提案し得る。
【０００８】
ＬＴＥバンドのＥ−ＵＴＲＡリストは、決して最終リストではなく、むしろ、新たなスペクトルがモバイル運用者に割り当てられ、そのスペクトルを使用する装置が規定されるにつれて進化することに留意されたい。新たなバンドは、その周波数に重なる現在のバンドがないスペクトル、及び以前のバンド割り当ての周波数に重なるバンドのスペクトルの両方において規定される。例えば、７０３〜８０３ＭＨｚにわたるＴＤＤバンドであるバンド４４は、バンド１２、１３、１４、及び１７等のより古い７００ＭＨｚのＦＤＤバンドが規定された数年後に、Ｅ−ＵＴＲＡバンドとして追加された。
【０００９】
図６で見ることができるように、モバイルデータの大部分は、音声データとして使用され（例えば、２００７のＱ１）、これは対称性が高い。しかし、２００７年のｉＰｈｏｎｅ（登録商標）の導入、及びＡｎｄｒｏｉｄの急速な採用、次いで２００９年のｉＰａｄ（登録商標）の導入に伴い、非音声モバイルデータは、２０１３年の中頃までに音声データの伸びを急速に追い越し、音声データはモバイルデータトラフィックのほんの一部となった。非音声データは、指数関数的に増大し続けると予測され、音声データは次第に小さくなっていく。
【００１０】
図７で見ることができるように、非音声モバイルデータは、ストリーミングビデオ、オーディオ、及びウェブブラウジング（そのほとんどはストリーミングビデオを含む）等の媒体によって主に占められる。一部のストリーミング媒体は、ＵＬデータ（例えば、ビデオ会議中）であるが、圧倒的多数はＤＬデータであり、ＤＬ対ＵＬデータ使用の非対称性を高くする。例えば、２０１３年５月２８日のＦｉｎａｎｃｉａｌ  Ｔｉｍｅｓの記事、「Ａｓｙｍｍｅｔｒｙ  ａｎｄ  ｔｈｅ  ｉｍｐｅｎｄｉｎｇ（ＵＳ）ｓｐｅｃｔｒｕｍ  ｃｒｉｓｉｓ」において、「．．．データトラフィックダウンリンク対アップリンクにおけるデータトラフィックの比率の業界推定値は、約８対１（８：１）から、それを大幅に超える比率の範囲である」と述べられている。記事は次いで、米国における大規模なＦＤＤ展開は、ＦＤＤモードが各ＤＬ及びＵＬに同じ量のスペクトルを割り当てるため、そのような非対称性の取り扱いに非常に非効率的であると指摘する。別の例として、Ｑｕａｌｃｏｍｍは、ライブネットワークの２００９年測定値に基づいて、米国の運用者のうちの１つにおいてＤＬ／ＵＬトラフィック非対称性が、９：１もの高さであると推定した（Ｑｕａｌｃｏｍｍ、「１０００ｘ：ｍｏｒｅ  ｓｐｅｃｔｒｕｍ  ｅｓｐｅｃｉａｌｌｙ  ｆｏｒ  ｓｍａｌｌ  ｃｅｌｌｓ」、Ｎｏｖ．２０１３、ｈｔｔｐ：／／ｗｗｗ．ｑｕａｌｃｏｍｍ．ｃｏｍ／ｍｅｄｉａ／ｄｏｃｕｍｅｎｔｓ／ｆｉｌｅｓ／１０００ｘ−ｍｏｒｅ−ｓｐｅｃｔｒｕｍ−ｅｓｐｅｃｉａｌｌｙ−ｆｏｒ−ｓｍａｌｌ−ｃｅｌｌｓ．ｐｄｆを参照されたい）。このため、ＦＤＤ  ＤＬスペクトルが大量に利用されているときであっても（潜在的に過負荷になる時点まで）、ＵＬスペクトルの大部分は使用されていない場合がある。
【００１１】
Ｆｉｎａｎｃｉａｌ  Ｔｉｍｅｓの記事は、ＴＤＤが、ＵＬデータよりもはるかに多いタイムスロットをＤＬデータに割り当てるように構成することができるため、そのような非対称性にはるかに適していることを指摘する。例えば、２０ＭＨｚ（１０＋１０ＭＨｚとして）がＦＤＤに割り当てられる場合、ＤＬデータのスループットが、（ＵＬデータが割り当てられた１０ＭＨｚよりもはるかに少量を必要とする場合であっても）最大でも１０ＭＨｚのフルタイム使用に制限されるのに対して、２０ＭＨｚがＴＤＤに割り当てられる場合、ＤＬデータのスループットは、時間の大部分において２０ＭＨｚの全てを使用することができ、わずかな割合の時間で２０ＭＨｚをＵＬデータに割り当て、これは、今日のデータ使用の特徴にはるかに適合している。その記事は、残念なことに、ほとんどの既存の米国のモバイルスペクトルが既にＦＤＤモードに投じられていることを認めているが、ＦＣＣが、新たなスペクトルを割り当てることでＴＤＤの使用を促進するように勧めている。
【００１２】
ＴＤＤは、モバイルデータの増加する非対称性質を前提として、新たなスペクトル割り当てのより効率的な使用を確実に可能にするだろうが、残念なことに、既存のＦＤＤネットワーク展開は、そのようなＬＴＥ  ＦＤＤネットワークのユーザの圧倒的多数が、ＦＤＤモードのみをサポートする装置を有し、それらの装置は、ネットワークがＴＤＤモードに切り替わった場合、接続不能になる可能性があるため、動作モードをＴＤＤに変更することはできない。結果として、ＬＴＥデータ使用は、次第に非対称性となり、既存のＬＴＥ  ＦＤＤネットワークはＤＬ混線状態を増大し、一方ＵＬスペクトルは次第に利用されなくなる（２０１３年５月２８日のＦｉｎａｎｃｉａｌ  Ｔｉｍｅｓの記事のより低い推定値である８：１のＤＬ：ＵＬ比で、これは、ＤＬチャネルが全て利用される場合、１０Ｍｈｚの１．２５ＭＨｚに相当する８分の１のみのＵＬチャネルが使用され得ることを暗示するだろう）。これは、特に、実用的なモバイルスペクトル（例えば、壁を透過し、約４５０〜２６００ＭＨｚ等の見通し外（ｎｏｎ−ｌｉｎｅ−ｏｆ−ｓｉｇｈｔ）で十分に伝播することができる周波数）の限られた物理的存在、及びモバイルデータの数関数的増加（ますます非対称になる）（例えば、Ｃｉｓｃｏ  ２／２０１３  ＶＮＩは、２０１８までにモバイルデータが年平均成長率（ＣＡＧＲ）６１％で増加すると予測し、そのほとんどはストリーミングビデオ及び他の非対称性が高いデータである）を仮定すると、極めて無駄が多く、非効率的である。
本発明のより良好な理解は、図面を併用して以下の詳細な説明から得ることができる。
【図面の簡単な説明】
【００１３】
【図１】ＤＩＤＯ無線アクセスネットワーク（ＤＲＡＮ）の汎用フレームワークを例示する。
【図２】ＯＳＩモデル及びＬＴＥ規格と一致した仮想無線インスタンス（ＶＲＩ）のプロトコルスタックを例示する。
【図３】ＤＩＤＯ無線ネットワークの対象範囲を拡大するために隣接するＤＲＡＮを例示する。
【図４】ＤＲＡＮと隣接する無線ネットワークとの間のハンドオフを例示する。
【図５】ＤＲＡＮとＬＴＥセルラーネットワークとの間のハンドオフを例示する。
【図６】２００７〜２０１３年のモバイルスペクトルの音声及び非音声データ利用を示す先行技術である。
【図７】２０１２年の用途タイプ別のモバイルデータトラフィックシェアを示す先行技術である。
【図８】ＦＤＤ  ＬＴＥ及びＴＤＤ  ＬＴＥモードの動作の先行技術比較である。
【図９】既存のＦＤＤネットワークでＵＬスペクトルを同時に使用する新たなＴＤＤネットワークを例示する。
【図１０】ＴＤＤ  ＬＴＥ二重構成の先行技術の表である。
【図１１】既存のＦＤＤネットワークでＤＬスペクトルを同時に使用する新たなＴＤＤネットワークを例示する。
【図１２】既存のＦＤＤネットワークでＵＬ及びＤＬスペクトルを同時に使用する２つの新たなＴＤＤネットワークを例示する。
【図１３】既存のＦＤＤネットワークでＵＬ及びＤＬスペクトルを同時に使用する新たなＦＤＤネットワークを例示する。
【発明を実施するための形態】
【００１４】
上述の先行技術の制限の多くを克服するための１つの解決法は、現在のＦＤＤスペクトル使用と対立しないようにＴＤＤスペクトル使用が調整されるように、ユーザ装置を、現在使用されているＵＬ又はＤＬ  ＦＤＤスペクトルと同じスペクトルにおいてＴＤＤモードで同時に動作させることである。特にＦＤＤ  ＵＬチャネルにおいて、ますます多くの未使用のスペクトルが存在し、ＴＤＤ装置は、既存のＦＤＤネットワークのスループットに影響することなくそのスペクトルを使用することができる。伝播効率の高いＵＨＦスペクトルのＴＤＤ使用も可能にし、それは、世界中の多くの領域でほぼ完全にＦＤＤに割り当てられ、ＴＤＤを伝播効率がはるかに低いマイクロ波バンドに退ける。
【００１５】
別の実施形態では、ＵＬ及びＤＬチャネルは入れ替えられ、他のネットワークのスペクトル使用と対立しないように各ネットワークのスペクトル使用が調整されるように、ユーザ装置を、現在使用されているＵＬ又はＤＬ  ＦＤＤスペクトルと同じスペクトルにおいてＦＤＤモードで同時に動作される。各ネットワークのＵＬチャネルがＤＬチャネルと比べて次第に利用されないと仮定すると、各ネットワークのＤＬチャネルが、他のネットワークのＵＬチャネルで未使用のスペクトルを利用することを可能にする。
【００１６】
更に、いずれかの実施形態では、スペクトル効率は、以下の特許、特許出願、及び仮出願に記載される分散入力分散出力（「ＤＩＤＯ」）技術を使用する一方又は両方のネットワークを実装することによって、大きく上昇することができ、それらの全ては、本特許の譲受人に譲渡され、参照により組み込まれる。これらの特許、出願、及び仮出願は、「関連特許及び出願」として本明細書で総称される場合がある。
「Ｓｙｓｔｅｍｓ  ａｎｄ  Ｍｅｔｈｏｄｓ  ｆｏｒ  Ｍａｐｐｉｎｇ  Ｖｉｒｔｕａｌ  Ｒａｄｉｏ  Ｉｎｓｔａｎｃｅｓ  ｉｎｔｏ  Ｐｈｙｓｉｃａｌ  Ａｒｅａｓ  ｔｏ  Ｃｏｈｅｒｅｎｃｅ  ｉｎ  Ｄｉｓｔｒｉｂｕｔｅｄ  Ａｎｔｅｎｎａ  Ｗｉｒｅｌｅｓｓ  Ｓｙｓｔｅｍｓ」と題される米国仮出願第６１／９３７，２７３号、
「Ｓｙｓｔｅｍ  ａｎｄ  Ｍｅｔｈｏｄ  Ｆｏｒ  Ｄｉｓｔｒｉｂｕｔｅｄ  Ａｎｔｅｎｎａ  Ｗｉｒｅｌｅｓｓ  Ｃｏｍｍｕｎｉｃａｔｉｏｎｓ」と題される米国出願第１４／１５６，２５４号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１４／０８６，７００号、
「Ｓｙｓｔｅｍｓ  Ａｎｄ  Ｍｅｔｈｏｄｓ  Ｔｏ  Ｃｏｏｒｄｉｎａｔｅ  Ｔｒａｎｓｍｉｓｓｉｏｎｓ  Ｉｎ  Ｄｉｓｔｒｉｂｕｔｅｄ  Ｗｉｒｅｌｅｓｓ  Ｓｙｓｔｅｍｓ  Ｖｉａ  Ｕｓｅｒ  Ｃｌｕｓｔｅｒｉｎｇ」と題される米国出願第１４／０２３，３０２号、
「Ｓｙｓｔｅｍｓ  ａｎｄ  Ｍｅｔｈｏｄｓ  ｆｏｒ  Ｒａｄｉｏ  Ｆｒｅｑｕｅｎｃｙ  Ｃａｌｉｂｒａｔｉｏｎ  Ｅｘｐｌｏｉｔｉｎｇ  Ｃｈａｎｎｅｌ  Ｒｅｃｉｐｒｏｃｉｔｙ  ｉｎ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国出願第１３／８４４，３５５号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９８４号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９７１号、
「Ｓｙｓｔｅｍｓ  ａｎｄ  Ｍｅｔｈｏｄｓ  ｆｏｒ  Ｅｘｐｌｏｉｔｉｎｇ  Ｉｎｔｅｒ−ｃｅｌｌ  Ｍｕｌｔｉｐｌｅｘｉｎｇ  Ｇａｉｎ  ｉｎ  Ｗｉｒｅｌｅｓｓ  Ｃｅｌｌｕｌａｒ  Ｓｙｓｔｅｍｓ  Ｖｉａ  Ｄｉｓｔｒｉｂｕｔｅｄ  Ｉｎｐｕｔ  Ｄｉｓｔｒｉｂｕｔｅｄ  Ｏｕｔｐｕｔ  Ｔｅｃｈｎｏｌｏｇｙ」と題される米国出願第１３／７９７，９５０号、
「Ｓｙｓｔｅｍｓ  ａｎｄ  Ｍｅｔｈｏｄｓ  ｆｏｒ  ｗｉｒｅｌｅｓｓ  ｂａｃｋｈａｕｌ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」と題される米国出願第１３／６３３，７０２号、
「Ｓｙｓｔｅｍｓ  ａｎｄ  Ｍｅｔｈｏｄｓ  ｔｏ  ｅｎｈａｎｃｅ  ｓｐａｔｉａｌ  ｄｉｖｅｒｓｉｔｙ  ｉｎ  ｄｉｓｔｒｉｂｕｔｅｄ−ｉｎｐｕｔ  ｄｉｓｔｒｉｂｕｔｅｄ−ｏｕｔｐｕｔ  ｗｉｒｅｌｅｓｓ  ｓｙｓｔｅｍｓ」と題される米国出願第１３／４７５，５９８号、
「Ｓｙｓｔｅｍ  ａｎｄ  Ｍｅｔｈｏｄｓ  ｔｏ  Ｃｏｍｐｅｎｓａｔｅ  ｆｏｒ  Ｄｏｐｐｌｅｒ  Ｅｆｆｅｃｔｓ  ｉｎ  Ｄｉｓｔｒｉｂｕｔｅｄ−Ｉｎｐｕｔ  Ｄｉｓｔｒｉｂｕｔｅｄ  Ｏｕｔｐｕｔ  Ｓｙｓｔｅｍｓ」と題される米国出願第１３／４６４，６４８号、
「Ｓｙｓｔｅｍ  ａｎｄ  Ｍｅｔｈｏｄｓ  ｆｏｒ  ｐｌａｎｎｅｄ  ｅｖｏｌｕｔｉｏｎ  ａｎｄ  ｏｂｓｏｌｅｓｃｅｎｃｅ  ｏｆ  ｍｕｌｔｉｕｓｅｒ  ｓｐｅｃｔｒｕｍ」と題される米国出願第１３／２３３，００６号、
「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」と題される米国出願第１３／２３２，９９６号、
「Ｓｙｓｔｅｍ  Ａｎｄ  Ｍｅｔｈｏｄ  Ｆｏｒ  Ｍａｎａｇｉｎｇ  Ｈａｎｄｏｆｆ  Ｏｆ  Ａ  Ｃｌｉｅｎｔ  Ｂｅｔｗｅｅｎ  Ｄｉｆｆｅｒｅｎｔ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）  Ｎｅｔｗｏｒｋｓ  Ｂａｓｅｄ  Ｏｎ  Ｄｅｔｅｃｔｅｄ  Ｖｅｌｏｃｉｔｙ  Ｏｆ  Ｔｈｅ  Ｃｌｉｅｎｔ」と題される米国出願第１２／８０２，９８９号、
「Ｉｎｔｅｒｆｅｒｅｎｃｅ  Ｍａｎａｇｅｍｅｎｔ，Ｈａｎｄｏｆｆ，Ｐｏｗｅｒ  Ｃｏｎｔｒｏｌ  Ａｎｄ  Ｌｉｎｋ  Ａｄａｐｔａｔｉｏｎ  Ｉｎ  Ｄｉｓｔｒｉｂｕｔｅｄ−Ｉｎｐｕｔ  Ｄｉｓｔｒｉｂｕｔｅｄ−Ｏｕｔｐｕｔ（ＤＩＤＯ）  Ｃｏｍｍｕｎｉｃａｔｉｏｎ  Ｓｙｓｔｅｍｓ」と題される米国出願第１２／８０２，９８８号、
「Ｓｙｓｔｅｍ  Ａｎｄ  Ｍｅｔｈｏｄ  Ｆｏｒ  Ｌｉｎｋ  ａｄａｐｔａｔｉｏｎ  Ｉｎ  ＤＩＤＯ  Ｍｕｌｔｉｃａｒｒｉｅｒ  Ｓｙｓｔｅｍｓ」と題される米国出願第１２／８０２，９７５号、
「Ｓｙｓｔｅｍ  Ａｎｄ  Ｍｅｔｈｏｄ  Ｆｏｒ  Ｍａｎａｇｉｎｇ  Ｉｎｔｅｒ−Ｃｌｕｓｔｅｒ  Ｈａｎｄｏｆｆ  Ｏｆ  Ｃｌｉｅｎｔｓ  Ｗｈｉｃｈ  Ｔｒａｖｅｒｓｅ  Ｍｕｌｔｉｐｌｅ  ＤＩＤＯ  Ｃｌｕｓｔｅｒｓ」と題される米国出願第１２／８０２，９７４号、
「Ｓｙｓｔｅｍ  Ａｎｄ  Ｍｅｔｈｏｄ  Ｆｏｒ  Ｐｏｗｅｒ  Ｃｏｎｔｒｏｌ  Ａｎｄ  Ａｎｔｅｎｎａ  Ｇｒｏｕｐｉｎｇ  Ｉｎ  Ａ  Ｄｉｓｔｒｉｂｕｔｅｄ−Ｉｎｐｕｔ−Ｄｉｓｔｒｉｂｕｔｅｄ−Ｏｕｔｐｕｔ（ＤＩＤＯ）  Ｎｅｔｗｏｒｋ」と題される米国出願第１２／８０２，９５８号、
２０１４年２月１８日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国特許第８，６５４，８１５号、
２０１３年１０月２９日発行の「Ｓｙｓｔｅｍ  ａｎｄ  Ｍｅｔｈｏｄ  ｆｏｒ  ＤＩＤＯ  ｐｒｅｃｏｄｉｎｇ  ｉｎｔｅｒｐｏｌａｔｉｏｎ  ｉｎ  ｍｕｌｔｉｃａｒｒｉｅｒ  ｓｙｓｔｅｍｓ」と題される米国特許第８，５７１，０８６号、
２０１３年９月２４日発行の「Ｓｙｓｔｅｍｓ  ａｎｄ  Ｍｅｔｈｏｄｓ  ｔｏ  ｃｏｏｒｄｉｎａｔｅ  ｔｒａｎｓｍｉｓｓｉｏｎｓ  ｉｎ  ｄｉｓｔｒｉｂｕｔｅｄ  ｗｉｒｅｌｅｓｓ  ｓｙｓｔｅｍｓ  ｖｉａ  ｕｓｅｒ  ｃｌｕｓｔｅｒｉｎｇ」と題される米国特許第８，５４２，７６３号、
２０１３年４月２３日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第８，４２８，１６２号、
２０１２年５月１日発行の「Ｓｙｓｔｅｍ  Ａｎｄ  Ｍｅｔｈｏｄ  Ｆｏｒ  Ａｄｊｕｓｔｉｎｇ  ＤＩＤＯ  Ｉｎｔｅｒｆｅｒｅｎｃｅ  Ｃａｎｃｅｌｌａｔｉｏｎ  Ｂａｓｅｄ  Ｏｎ  Ｓｉｇｎａｌ  Ｓｔｒｅｎｇｔｈ  Ｍｅａｓｕｒｅｍｅｎｔｓ」と題される米国特許第８，１７０，０８１号、
２０１２年４月１７日発行の「Ｓｙｓｔｅｍ  ａｎｄ  Ｍｅｔｈｏｄ  Ｆｏｒ  Ｄｉｓｔｒｉｂｕｔｅｄ  Ｉｎｐｕｔ−Ｄｉｓｔｒｉｂｕｔｅｄ  Ｏｕｔｐｕｔ  Ｗｉｒｅｌｅｓｓ  Ｃｏｍｍｕｎｉｃａｔｉｏｎｓ」と題される米国特許第８，１６０，１２１号、
２０１１年２月８日発行の「Ｓｙｓｔｅｍ  ａｎｄ  Ｍｅｔｈｏｄ  Ｆｏｒ  Ｅｎｈａｎｃｉｎｇ  Ｎｅａｒ  Ｖｅｒｔｉｃａｌ  Ｉｎｃｉｄｅｎｃｅ  Ｓｋｙｗａｖｅ（「ＮＶＩＳ」）  Ｃｏｍｍｕｎｉｃａｔｉｏｎ  Ｕｓｉｎｇ  Ｓｐａｃｅ−Ｔｉｍｅ  Ｃｏｄｉｎｇ．」と題される米国特許第７，８８５，３５４号、
２０１０年５月４日発行の「Ｓｙｓｔｅｍ  ａｎｄ  Ｍｅｔｈｏｄ  Ｆｏｒ  Ｓｐａｔｉａｌ−Ｍｕｌｔｉｐｌｅｘｅｄ  Ｔｒｏｐｏｓｐｈｅｒｉｃ  Ｓｃａｔｔｅｒ  Ｃｏｍｍｕｎｉｃａｔｉｏｎｓ」と題される米国特許第７，７１１，０３０号、
２００９年１２月２２日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，６３６，３８１号、
２００９年１２月１５日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，６３３，９９４号、
２００９年１０月６日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，５９９，４２０号、
２００８年８月２６日発行の「Ｓｙｓｔｅｍ  ａｎｄ  Ｍｅｔｈｏｄ  ｆｏｒ  Ｄｉｓｔｒｉｂｕｔｅｄ  Ｉｎｐｕｔ  Ｄｉｓｔｒｉｂｕｔｅｄ  Ｏｕｔｐｕｔ  Ｗｉｒｅｌｅｓｓ  Ｃｏｍｍｕｎｉｃａｔｉｏｎ」と題される米国特許第７，４１８，０５３号。
【００１７】
本発明は、アクティブに使用されるスペクトル内での同時スペクトル使用のためのシステム及び方法を開示する。実施形態のいくつかは、本特許の譲受人の譲受人によって以前に開示された分散入力分散出力及びＭＵ−ＭＡＳ技術を利用する。以下の第１章及び第２章の開示は、２０１４年２月７日出願の「Ｓｙｓｔｅｍｓ  ａｎｄ  Ｍｅｔｈｏｄｓ  ｆｏｒ  Ｍａｐｐｉｎｇ  Ｖｉｒｔｕａｌ  Ｒａｄｉｏ  Ｉｎｓｔａｎｃｅｓ  ｉｎｔｏ  Ｐｈｙｓｉｃａｌ  Ａｒｅａｓ  ｔｏ  Ｃｏｈｅｒｅｎｃｅ  ｉｎ  Ｄｉｓｔｒｉｂｕｔｅｄ  Ａｎｔｅｎｎａ  Ｗｉｒｅｌｅｓｓ  Ｓｙｓｔｅｍｓ」と題される米国仮出願第６１／９３７，２７３号の開示に対応し、本発明に関する。
【００１８】
１．ＶＲＩをコヒーレンスの領域にマッピングするためのシステム及び方法
本発明の一実施形態は、仮想無線インスタンス（ＶＲＩ）を通して、無線リンクにおいてネットワークとコヒーレンスの複数の領域との間で同じ周波数帯内の多重同時不干渉データストリームを送達するためのシステム及び方法を開示する。一実施形態では、システムは、図１に示されるようなマルチユーザ多重アンテナシステム（ＭＵ−ＭＡＳ）である。図１の色分けされたユニットは、以降に記載されるように、データソース１０１、ＶＲＩ  １０６、及びコヒーレンスの領域１０３の間の１対１のマッピングを示す。
【００１９】
１．１  システムアーキテクチャの概説
図１では、データソース１０１は、文字、画像、音声、動画、又はこれらの組み合わせ等、ローカル若しくはリモートサーバ内のウェブコンテンツ又はファイルを搬送するデータファイル又はストリームである。１つ若しくは複数のデータファイル又はストリームは、無線リンク１１０においてネットワーク１０２と全てのコヒーレンスの領域１０３との間で送信又は受信される。一実施形態では、ネットワークは、インターネット又は任意の有線若しくは無線ローカルエリアネットワークである。
【００２０】
コヒーレンスの領域は、同じ無線リンク上で同時に送信される他のＶＲＩからの他のデータ出力の任意の干渉を受けずに、１つのＶＲＩのデータ出力１１２のみがコヒーレンスのその領域内で受信される方法で、ＭＵ−ＭＡＳの異なるアンテナからの波形がコヒーレントに合計する空間の体積である。本特許出願では、先行特許出願［「Ｓｙｓｔｅｍｓ  ａｎｄ  Ｍｅｔｈｏｄｓ  ｔｏ  Ｅｘｐｌｏｉｔ  Ａｒｅａｓ  ｏｆ  Ｃｏｈｅｒｅｎｃｅ  ｉｎ  Ｗｉｒｅｌｅｓｓ  Ｓｙｓｔｅｍｓ」と題される米国出願第１３／２３２，９９６号］に記載されるように、コヒーレンスの体積又はプライベートセル（例えば、「ｐＣｅｌｌｓ（商標）」１０３）を説明するために「コヒーレンスの領域」という用語を使用する。一実施形態では、コヒーレンスの領域は、あらゆる加入者が１つ又は複数のデータソース１０１に関連付けられるように、ユーザ機器（ＵＥ）１１１又は無線ネットワークの加入者の場所に対応する。コヒーレンスの領域は、伝搬条件、並びにそれらを生成するために用いられるＭＵ−ＭＡＳプリコーディング技法のタイプに応じて、サイズ及び形状が異なり得る。本発明の一実施形態では、ＭＵ−ＭＡＳプリコーダは、変化する伝播条件に適合するようにコヒーレンスの領域のサイズ及び形状を動的に調節しつつ、良好なリンク信頼性でコンテンツをユーザに送達する。
【００２１】
データソース１０１は、まず、ネットワーク１０２を通してＤＩＤＯ無線アクセスネットワーク（ＤＲＡＭ）１０４に送信される。次に、ＤＲＡＮは、データファイル又はストリームをＵＥが受信できるデータフォーマットに翻訳し、あらゆるＵＥが、他のＵＥに送信される他のデータファイル又はストリームからの干渉を受けずにその独自のデータファイル又はストリームを受信するように、そのデータファイル又はストリームを同時に複数のコヒーレンスの領域に送信する。ＤＲＡＮは、ネットワークとＶＲＩ  １０６との間のインタフェースであるゲートウェイ１０５で構成される。ＶＲＩは、ゲートウェイによって転送されるパケットを、生データとしてか、又はＭＵ−ＭＡＳベースバンドユニットに供給されるパケット若しくはフレーム構造中で、データストリーム１１２に翻訳する。一実施形態では、ＶＲＩは、図２ａに示されるように、アプリケーション層、プレゼンテーション層、セッション層、トランスポート層、ネットワーク層、データリンク層、及び物理層という断絶層（sever layer）で構成される開放型システム間相互接続（ＯＳＩ）プロトコルスタックを含む。別の実施形態では、ＶＲＩは、ＯＳＩ層のサブセットのみを含む。
【００２２】
別の実施形態では、ＶＲＩは、異なる無線規格から定義される。限定ではなく、例として、第１のＶＲＩは、ＧＳＭ（登録商標）規格からのプロトコルスタック、３Ｇ規格からの第２のＶＲＩ、ＨＳＰＡ＋規格からの第３のＶＲＩ、ＬＴＥ規格からの第４のＶＲＩ、ＬＴＥ−Ａ規格からの第５のＶＲＩ、及びＷｉ−Ｆｉ規格からの第６のＶＲＩで構成される。例示的な実施形態では、ＶＲＩは、ＬＴＥ規格によって定義される制御プレーン又はユーザプレーンプロトコルスタックを含む。ユーザプレーンプロトコルスタックは、図２ｂに示される。全ＵＥ２０２は、ＰＨＹ、ＭＡＣ、ＲＬＣ、及びＰＤＣＰ層を通してその独自のＶＲＩ２０４と、ＩＰ層を通してゲートウェイ２０３と、及びアプリケーション層を通してネットワーク２０５と通信する。制御プレーンプロトコルスタックに関しては、ＵＥは、ＮＡＳ（ＬＴＥ規格スタックにおいて定義される）層を通してモビリィティ管理エンティティ（ＭＭＥ）とも直接通信する。
【００２３】
仮想接続マネージャ（ＶＣＭ）１０７は、ＵＥのＰＨＹ層識別（例えば、セル特有の無線ネットワーク一時的識別子、ＲＮＴＩ）の割り付け、認証、並びにＶＲＩ及びＵＥの移動性に関与している。ＶＲＩの出力でのデータストリーム１１２は、仮想無線マネージャ（ＶＲＭ）１０８に供給される。ＶＲＭは、スケジューラユニット（ＤＬ（ダウンリンク）及びＵＬ（アップリンク）パケットを異なるＵＥに対してスケジューリングする）、ベースバンドユニット（例えば、ＦＥＣエンコーダ／デコーダ、変調器／復調器、リソースグリッドビルダーで構成される）、並びにＭＵ−ＭＡＳベースバンドプロセッサ（プリコーディング動作を実装するためのプリコーディングロジックで構成される）を含む。一実施形態では、データストリーム１１２は、ＭＵ−ＭＡＳベースバンドプロセッサによって処理される図２ｂのＰＨＹ層の出力においてＩ／Ｑサンプルである。異なる実施形態では、データストリーム１１２は、ＭＡＣ、ＲＬＣ、又はＰＤＣＰパケットであり、これらはスケジューラユニットに送信され、スケジューラユニットがこれらをベースバンドユニットに転送する。ベースバンドユニットは、パケットを、ＭＵ−ＭＡＳベースバンドプロセッサに供給されるＩ／Ｑに変換する。
【００２４】
ＭＵ−ＭＡＳベースバンドプロセッサは、Ｍ  Ｉ／Ｑサンプルを、Ｍ  ＶＲＩから、Ｎアクセスポイント（ＡＰ）１０９に送信されるＮデータストリーム１１３に変換するＶＲＭのコアである。一実施形態では、データストリーム１１３は、ＡＰ１０９から無線リンク１１０で伝送されるＮ波形のＩ／Ｑサンプルである。この実施形態では、ＡＰは、ＡＤＣ／ＤＡＣ、ＲＦチェーン、及びアンテナから成る。異なる実施形態では、データストリーム１１３は、ＡＰにて組み合わされて、無線リンク１１０で送信されるＮ波形を生成する、情報のビット及びＭＵ−ＭＡＳプリコーディング情報である。この実施形態では、全てのＡＰは、ＡＤＣ／ＤＡＣユニットの前に追加のベースバンド処理を行うためのＣＰＵ、ＤＳＰ、又はＳｏＣを備えている。
【００２５】
１．２  移動性及びハンドオフのサポート
これまでに記載したシステム及び方法は、ＵＥがＡＰの届く範囲にある限り動作する。ＵＥがＡＰ対象範囲領域から離れて移動すると、リンクが中断し得、ＤＲＡＮ  ３０１はコヒーレンスの領域を創出することができない。対象範囲領域を拡大するために、システムは、新たなＡＰを加えることによって徐々に発展し得る。しかしながら、新たなＡＰをサポートするのに十分な処理能力がＶＲＭ中にない場合があるか、あるいは新たなＡＰを同じＶＲＭに接続するのに実用上の設置問題がある場合がある。これらのシナリオにおいては、図３に示されるように、隣接するＤＲＡＮ  ３０２及び３０３を加えて、新たなＡＰをサポートする必要がある。
【００２６】
一実施形態では、所与のＵＥは、第１のＤＲＡＮ  ３０１及び隣接するＤＲＡＮ  ３０２によって提供される対象範囲領域内に位置する。この実施形態では、隣接するＤＲＡＮ  ３０２は、第１のＤＲＡＮ  ３０１のＭＵ−ＭＡＳ処理と共同で、そのＵＥに対するＭＵ−ＭＡＳベースバンド処理のみを行う。そのＵＥのＶＲＩが第１のＤＲＡＮ  ３０１内で既に実行しているため、ＶＲＩは、所与のＵＥに対する隣接するＤＲＡＮ  ３０２によって処理されない。第１のＤＲＡＮと隣接するＤＲＡＮとの間の連帯プリコーディングを可能にするために、ベースバンド情報が、第１のＤＲＡＮ  ３０１中のＶＲＭと隣接するＤＲＡＮ  ３０２中のＶＲＭとの間で、クラウド−ＶＲＭ  ３０４及びリンク３０５を通して交換される。リンク３０５は、ＭＵ−ＭＡＳプリコーディングの性能の低下を回避するために十分な接続品質（例えば、十分に低い待ち時間及び十分なデータ速度）をサポートすることができる任意の有線（例えば、ファイバー、ＤＳＬ、ケーブル）又は無線リンク（例えば、見通し線リンク）である。
【００２７】
異なる実施形態では、所与のＵＥは、第１のＤＲＡＮ  ３０１の対象範囲領域から出て、隣接するＤＲＡＮ  ３０３の対象範囲領域に移動する。この実施形態では、そのＵＥに関連付けられたＶＲＩは、第１のＤＲＡＮ  ３０１から隣接するＤＲＡＮ  ３０３に「テレポート」される。ＶＲＩがテレポートされる、又は「ＶＲＩテレポーテーション」とは、ＶＲＩ状態情報が、ＤＲＡＮ  ３０１からＤＲＡＮ  ３０３に伝達され、ＶＲＩが、ＤＲＡＮ  ３０１内で実行を停止し、ＤＲＡＮ  ３０３内で実行を開始することを意味する。理想的には、ＶＲＩテレポーテーションは、テレポートされたＶＲＩによってサービス提供されるＵＥの観点から、ＶＲＩからのそのデータストリームのいかなる断絶も受けないように十分に迅速に行われる。一実施形態では、テレポートされた後、ＶＲＩが完全に実行する前に遅延がある場合、ＶＲＩテレポーテーションの開始前に、そのＶＲＩによってサービス提供されるＵＥは、その接続を中断しないか、さもなければ、ＶＲＩが隣接するＤＲＡＭ３０３において始動し、ＵＥが再び実行中のＶＲＩによってサービス提供を受けるまで、望ましくない状態に入る状態に置かれる。「ＶＲＩテレポーテーション」は、第１のＤＲＡＮ  ３０１中のＶＣＭを隣接するＤＲＡＮ  ３０３中のＶＣＭに接続するクラウド−ＶＣＭ３０６によって可能となる。ＶＣＭ間の有線又は無線リンク３０７は、それらがデータを搬送するだけであり、ＭＵ−ＭＡＳプリコーディングの性能に影響しないため、ＶＲＭ間のリンク３０５と同じ制限的制約を有しない。本発明の同じ実施形態では、第１のＤＲＡＮ  ３０１と隣接するＤＲＡＮ  ３０３との間で追加のリンク３０５を用いて、ＭＵ−ＭＡＳプリコーディングの性能の低下を回避するために十分な接続品質（例えば、十分に低い待ち時間及び十分なデータ速度）をサポートすることができるそれらのＶＲＭを接続する。本発明の一実施形態では、第１のＤＲＡＮ及び隣接するＤＲＡＮのゲートウェイは、ＤＲＡＮにわたる全てのネットワークアドレス（又はＩＰアドレス）翻訳を管理するクラウド−ゲートウェイ３０８に接続される。
【００２８】
本発明の一実施形態では、ＶＲＩテレポーテーションは、図４に示されるように、本出願に開示されるＤＲＡＮネットワークと任意の隣接する無線ネットワーク４０１との間で生じる。限定ではなく、例として、無線ネットワーク４０１は、任意の従来のセルラー（例えば、ＧＳＭ（登録商標）、３Ｇ、ＨＳＰＡ＋、ＬＴＥ、ＬＴＥ−Ａ）、又は無線ローカルエリアネットワーク（ＷＬＡＮ、例えば、Ｗｉ−Ｆｉ）である。ＶＲＩがＤＲＡＮから隣接する無線ネットワーク４０１にテレポートされるとき、ＵＥは、２つのネットワーク間でハンドオフされ、その無線接続が継続し得る。
【００２９】
一実施形態では、隣接する無線ネットワーク４０１は、図５に示されるＬＴＥネットワークである。この実施形態では、クラウド−ＶＣＭ  ５０２は、ＬＴＥモビリティ管理エンティティ（ＭＭＥ）５０１に接続される。ＬＴＥとＤＲＡＮネットワークとの間の全てのＵＥハンドオフの識別、認証、及び移動性に関する情報の全ては、ＭＭＥ  ５０１とクラウド−ＶＣＭ  ５０２の間で交換される。同じ実施形態では、ＭＭＥは、無線セルラーネットワークを通じてＵＥ  ５０４に接続する１つ又は複数のｅＮｏｄｅＢ  ５０３に接続される。ｅＮｏｄｅＢは、サービス提供ゲートウェイ（Ｓ−ＧＷ）５０５及びパケットデータネットワークゲートウェイ（Ｐ−ＧＷ）５０６を通じてネットワーク５０７に接続される。
【００３０】
２．ＤＬ及びＵＬ  ＭＵ−ＭＡＳ処理のためのシステム及び方法
典型的なダウンリンク（ＤＬ）無線リンクは、セル全体のための情報を搬送するブロードキャスト物理チャネルと、所定のＵＥのための情報及びデータを持つ専用物理チャネルとから成る。例えば、ＬＴＥ規格は、Ｐ−ＳＳ及びＳ−ＳＳ（ＵＥでの同期化に使用される）、ＭＩＢ、並びにＰＤＣＣＨなどのブロードキャストチャネル、またＰＤＳＣＨなどの所与のＵＥにデータを搬送するためのチャネルを定義する。本発明の一実施形態では、全てのＬＴＥブロードキャストチャネル（例えば、Ｐ−ＳＳ、Ｓ−ＳＳ、ＭＩＣ、ＰＤＣＣＨ）は、あらゆるＵＥがそれ独自の専用の情報を受信するようにプリコーディングされる。異なる実施形態では、ブロードキャストチャネルの一部はプリコーディングされ、一部はされない。限定ではなく、例として、ＰＤＣＣＨは、ブロードキャスト情報、並びに、ＵＥを、ＤＬ及びアップリンク（ＵＬ）チャネル上で使用されるようにリソースブロック（ＲＢ）に向けるために使用されるＤＣＩ  １Ａ及びＤＣＩ  ０などの１つのＵＥ専用の情報を含む。一実施形態では、ＰＤＣＣＨのブロードキャスト部分はプリコードされず、一方で、ＤＣＩ  １Ａ及び０を含む部分は、あらゆるＵＥが、データを搬送するＲＢについてのそれ独自の専用情報を取得するような方法で、プレコーディングされる。
【００３１】
本発明の別の実施形態では、プリコーディングは、ＬＴＥシステムにおけるＰＤＳＣＨ等のデータチャネルの全部又は一部のみに適用される。プリコーディングを全データチャネルに適用することによって、本出願で開示されるＭＵ−ＭＡＳの一実施形態は、全帯域幅を全ＵＥに割り当て、複数のＵＥの複数のデータストリームは、空間処理を介して分離される。しかしながら、典型的なシナリオでは、ＵＥの全てではないがほとんどは、全帯域幅を必要としない（例えば、２０ＭＨｚのスペクトルにおけるＴＤＤ構成番号２に対するピークデータ速度、ＵＥ当たり約７０Ｍｂｐｓ）。次いで、本出願のＭＵ−ＭＡＳの一実施形態は、ＯＦＤＭＡシステムと同様にＤＬ  ＲＢを多重ブロックに細分化され、各ブロックをＵＥのサブセットを割り付ける。同じブロック内のＵＥの全ては、ＭＵ−ＭＡＳプリコーディングを通して分離される。別の実施形態では、ＭＵ−ＭＡＳは、異なるＤＬサブフレームを異なるＵＥのサブセットに割り当てることにより、ＴＤＭＡシステムと同様にＤＬを分割する。更に別の実施形態では、ＭＵ−ＭＡＳは、ＵＥのサブセットにわたるＯＦＤＭＡシステムと同様な多重ブロック中でのＤＬ  ＲＢを細分化と、ＴＤＭＡシステムと同様に異なるＤＬサブフレームの異なるＵＥのサブセットへの割り当てとの両方を行い、このため、ＯＦＤＭＡ及びＴＤＭＡの両方を利用して、スループットを分割する。例えば、２０ＭＨｚのＴＤＤ構成番号２に１０個のＡＰがある場合には、７０Ｍｂｐｓ×１０＝７００Ｍｂｐｓの総ＤＬ容量がある。１０個のＵＥがある場合には、各ＵＥは、同時に７０Ｍｂｐｓを受信し得る。２００個のＵＥがある場合、総スループットは等しく分割されることになり、その後、ＯＦＤＭＡ、ＴＤＭＡ、又はこれらの組み合わせを使用して、２００個のＵＥが１０個のＵＥの２０個のグループに分割され、それにより、各ＵＥが７００Ｍｂｐｓ／２００＝３．５Ｍｂｐｓを受信する。別の例としては、１０個のＵＥが２０Ｍｂｐｓを必要として、他のＵＥが残りのスループットを均等に共有する場合には、２０Ｍｂｐｓ×１０＝２００Ｍｂｐｓの７００Ｍｂｐｓが１０個のＵＥに使用され、結果、７００Ｍｂｐｓ−２００Ｍｂｐｓ＝５００Ｍｂｐｓが、残りの２００−１０＝１９０ＵＥの間で分割される。したがって、残りの９０個のＵＥの各々は、５００Ｍｂｐｓ／１９０＝２．６３Ｍｂｐｓを受信するだろう。このため、ＡＰよりもはるかに多いＵＥが本発明のＭＵ−ＭＡＳシステムにおいてサポートされ得、全てのＡＰの総スループットが、多くのＵＥの間で分割され得る。
【００３２】
ＵＬチャネルでは、ＬＴＥ規格は、ＴＤＭＡ又はＳＣ−ＦＤＭＡなどの従来の多重アクセス技法を定義する。本発明の一実施形態では、ＵＬグラントを異なるＵＥに割り付け、ＴＤＭＡ及びＳＣ−ＦＤＭＡ多重アクセス技法を可能にする方法で、ＤＬにわたってＭＵ−ＭＡＳプリコーディングが可能になる。したがって、総ＵＬスループットは、存在するＡＰよりもはるかに多いＵＥの間で分割され得る。
【００３３】
上記のように、存在するＡＰよりも多くのＵＥが存在し、総スループットがＵＥの間で分割されるとき、一実施形態では、ＭＵ−ＭＡＳシステムは、各ＵＥに対して１つのＶＲＩをサポートし、ＶＲＭは、ＶＲＩが、総スループットを細分化するために使用される選択されたＯＦＤＭＡ、ＴＤＭＡ、又はＳＣ−ＦＤＭＡシステム（複数可）と調和することにおいてＲＢ及びリソースグラントを制御するように、ＶＲＩを制御する。別の実施形態では、１つ又は２つ以上の個々のＶＲＩは、ＯＦＤＭＡ、ＴＤＭＡ、又はＳＣ−ＦＤＭＡ技法によって、複数のＵＥをサポートし、これらのＵＥの間のスループットのスケジューリングを管理し得る。
【００３４】
別の実施形態では、スループットのスケジューリングは、システムの方針及び性能目標に応じて、多くの先行技術のうちのいずれかを使用して、ユーザ要求の負荷バランシングに基づく。別の実施形態では、スケジューリングは、特定のＵＥ（例えば、ある特定のスループットレベルを保証するサービスの特定の階級に対して支払いをするもの）、又は特定のタイプのデータ（例えば、テレビサービス用の映像）に対するサービス品質（Quality of Service）（ＱｏＳ）要件に基づく。
【００３５】
異なる実施形態では、ＵＬ受信アンテナ選択を適用して、リンク品質を向上させる。この方法では、ＵＬチャネル品質は、ＵＥによって送信されたシグナリング情報（例えば、ＳＲＳ、ＤＭＲＳ）に基づいてＶＲＭで推定され、ＶＲＭは、ＵＬに対する異なるＵＥのための最良の受信アンテナを決定する。その後、ＶＲＭは、１つの受信アンテナをあらゆるＵＥに割り付けて、そのリンク品質を向上させる。異なる実施形態では、受信アンテナ選択を用いて、ＳＣ−ＦＤＭＡスキームが原因の周波数帯間の交差干渉を低減する。この方法の１つの大きな利点は、ＵＥが、その場所に最も近いＡＰのみに、ＵＬをわたって伝送することである。このシナリオでは、ＵＥは、最も近いＡＰに達するためにその伝送電力を大幅に低減し得ることにより、電池寿命を向上させる。同じ実施形態では、異なる電力スケール係数が、ＵＬデータチャネル及びＵＬシグナリングチャネルに利用される。１つの例示的な実施形態では、ＵＬシグナリングチャネル（例えば、ＳＲＳ）の電力を、データチャネルと比較して増加させて、ＵＬデータ伝送に必要とされる電力を依然として制限しながら、多くのＡＰからのＵＬ  ＣＳＩ推定及びＭＵ−ＭＡＳプリコーディング（ＴＤＤシステムにおけるＵＬ／ＤＬチャネル相互性を活用する）を可能にする。同じ実施形態では、ＵＬシグナリングチャネル及びＵＬデータチャネルの電力レベルは、異なるＵＥを出入りする相対電力を均一化する伝送電力制御方法に基づいてＤＬシグナリングを通してＶＲＭによって調節される。
【００３６】
異なる実施形態では、最大比合成（ＭＲＣ）をＵＬ受信機にて適用して、あらゆるＵＥから複数のＡＰへの信号品質を向上させる。異なる実施形態では、ゼロ−フォーシング（ＺＦ）、又は最小平均二乗誤差（ＭＭＳＥ）、又は逐次干渉除去（ＳＩＣ）、又は他の非線形技法、又はＤＬプリコーディング用のものと同じプリコーディング技法をＵＬに適用して、受信されているデータストリームを、異なるＵＥのコヒーレンスの領域と差別化する。同じ実施形態では、受信空間処理を、ＵＬデータチャネル（例えば、ＰＵＳＣＨ）若しくはＵＬ制御チャネル（例えば、ＰＵＣＣＨ）、又はこれらの両方に適用する。
【００３７】
３．アクティブに使用されるスペクトル内での同時スペクトル使用のためのシステム及び方法
背景技術の章で詳述され、図６及び図７に示されるように、モバイルデータ使用は、大部分が対称の音声データで占められる状態から、非対称性が高い非音声データ、特にビデオストリーミング等の媒体に劇的に変化した。世界中のほとんどのモバイルＬＴＥ展開は、その物理層構造が図８の上半分に例示されるＦＤＤ  ＬＴＥであり、固定された対称のアップリンク（「ＵＬ」）及びダウンリンク（「ＤＬ」）チャネルを有し、結果として、ＤＬチャネルが、ＵＬデータと比較して急激に増加するＤＬデータで次第に混雑するにつれて、ＵＬデータチャネルは次第に利用されなくなっている。
【００３８】
ＬＴＥ規格は、その物理層構造が図８の下半分に例示されるＴＤＤ  ＬＴＥ（「ＴＤ−ＬＴＥ」とも称される）もサポートし、モバイル運用者は、ＵＬ及びＤＬチャネルが、対称（この例示に示される）又は非対称（例えば、より多くのサブフレームが、ＤＬ若しくはＵＬチャネルのいずれかに割り当てられている）であるかを選択することができ、結果として、ＤＬチャネルが、ＵＬデータに対するＤＬデータの急激な増加とともに次第に混雑するにつれて、モバイル運用者は、ＵＬよりもＤＬに多くのサブフレームを割り当てることを選択することができる。例えば、１つの構成では、ＴＤ−ＬＴＥは、８：１のＤＬ：ＵＬ比をサポートし、ＵＬに対して８倍多いサブフレームをＤＬに割り当てる。
【００３９】
ＴＤ−ＬＴＥが１つのチャネルにおいて双方向性であるという事実以外、ＴＤ−ＬＴＥ及びＦＤＤ  ＬＴＥの構造及び詳細は、ほぼ同一である。両方のモードにおいて、全フレームは、１０ｍｓの持続時間を有し、各１ｍｓの１０個のサブフレームから成る。変調及びコーディングスキームは、ほぼ同一であり、プロトコルスタックの上層は効果的に同じである。両方の場合において、ユーザ機器（「ＵＥ」）デバイス（例えば、携帯電話、タブレット）の時間及び周波数基準は、ｅＮｏｄｅＢ（ＬＴＥ基地局プロトコルスタック）によって、（ＦＤＤ  ＬＴＥではＤＬチャネルを介して、ＴＤ−ＬＴＥではＤＬサブフレームの間に）全ての装置に提供される。
【００４０】
特に、ＦＤＤ及びＴＤＤ  ＬＴＥの両方の場合において、ネットワークは、ＤＬ伝送を通して受信される、ｅＮｏｄｅＢによってそのように行うグラントが与えられるときに、ＵＥがＵＬデータのみを伝送し得るように構成されてもよい。したがって、ｅＮｏｄｅＢは、いつＤＬデータを伝送するかを制御するだけではなく、いつＵＥがＵＬデータを伝送し得るかも制御する。
【００４１】
また、特にＬＴＥ  ＦＤＤ  ＵＥの場合、その受信機は、そのＤＬチャネルのみに同調され、そのＵＬチャネルに同調される受信機を有しない。したがって、ＦＤＤ  ＵＥは、そのＵＬチャネル内で別の装置によって伝送されるあらゆるものが「聞こえない（deaf）」。
【００４２】
また、全てのＬＴＥ  ＵＥの場合において、ＦＤＤ又はＴＤＤにかかわらず、それらの受信機の範囲までも、全てのＵＥに対して（又は所与のＵＥに対して）意図されたある特定の制御信号以外の特定のチャネルに同調され、これは、それらの時間基準及びネットワークへの接続を維持するか、又はそれらに、どの時間及び周波数でデータを受信し、それらに対して意図されないＤＬデータを無視するかの指示を与える。又は換言すると、ＬＴＥ  ＵＥに対する唯一の関連ＤＬデータは、いずれかの制御情報のデータか、又はＵＥに向けられているデータである。他の時間の間に、チャネルが、ＤＬから別のＵＥで利用されるか、全く利用されないか、又はＬＴＥ規格外の目的のために利用されるかにかかわらず、ＵＥは、制御情報又はそのＵＥに向けられるＤＬデータではないいずれのＤＬ伝送も「聞こえない」。このため、ＬＴＥ受信機は、ＦＤＤ又はＴＤＤにかかわらず、全てのＵＥに対して、若しくは所与のＵＥに対して意図される制御データのみを受信するか、又は所与のＵＥに対するデータを受信する。ＤＬチャネルにおける他の伝送は無視される。
【００４３】
図９は、どのようにＦＤＤ及びＴＤＤネットワークが、アクティブに利用するＦＤＤスペクトルを同時に利用することができるかを例示する。「ＦＤＤ  ＬＴＥ  ９１０」と標識された長方形の一番上の２本の線は、アップリンク（「ＵＬ」）及びダウンリンク（「ＤＬ」）チャネルの両方において、１０個の１ｍｓのサブフレーム間隔で構成される１つのＬＴＥフレーム間隔（１０ｍｓ）を例示する。この例示は、ＵＬデータよりもはるかに多くのＤＬデータが存在する、ますますより典型的となる非対称データ伝送のタイプ（例えば、ダウンリンクストリーミングビデオ）を示す。斜線で塗り潰された実線の輪郭の長方形（例えば、長方形９１２及び長方形９１１）は、データが伝送されているサブフレームを示し、空白の点の輪郭の長方形（例えば、長方形９１４）は、データが伝送されていない（すなわち、そのサブフレーム間隔の間にチャネルに伝送がない）「待機中の（ｉｄｌｅ）」サブフレームを示す。長方形９１１は、それらの全てがデータで満たされている１０個のＤＬサブフレームのうちの２個である。長方形９１２は、データを有する１個のＵＬサブフレームを示す。また、長方形９１４は、データ伝送を有しない９個の待機中のＵＬサブフレームのうちの３個である。
【００４４】
「ＴＤＤ  ＬＴＥ  ９２０」と標識された図９の長方形の中央の２本の線は、２個の「特殊」サブフレーム間隔を含む１０個の１ｍｓのサブフレーム間隔で構成される１つのＬＴＥフレーム間隔（１０ｍｓ）を例示するが、ＦＤＤ  ＬＴＥ  ９１０の線とは異なり、ＴＤＤ  ＬＴＥ  ９２０の線の長方形の両方の線は、互いに同じスペクトルを共有するだけではなく、ＦＤＤアップリンクと同じスペクトルも共有する。この例示は、データを伝送する４個のＤＬサブフレーム及び３個のＵＬサブフレームが存在する非対称データ伝送を示す。破線で塗り潰された実線の輪郭の長方形（例えば、長方形９２１、長方形９２２、及び長方形９２３）は、データが伝送されているサブフレームを示し、空白の点の輪郭の長方形（すなわち、長方形９２４）は、データが伝送されていない（すなわち、そのサブフレーム間隔の間にチャネルに伝送がない）待機中のサブフレームを示す。長方形９２１は、それらの全てがデータで満たされている４個のＤＬサブフレームのうちの１個である。長方形９２２は、それらの全てがデータを有する３個のＵＬサブフレームのうちの１個を示す。長方形９２４は、空の１個の待機中のＵＬサブフレームである。
【００４５】
「ＦＤＤ＋ＴＤＤ  ＬＴＥ  ９３０」と標識された図９の長方形の第３の２本の線は、２個の「特殊」サブフレーム間隔を含む１０個の１ｍｓのサブフレーム間隔で構成される１つのＬＴＥフレーム間隔（１０ｍｓ）例示し、ＦＤＤ  ＬＴＥ  ９１０システムとＴＤＤ  ＬＴＥ  ９２０システムとの同時動作を示し、ＴＤＤ  ＬＴＥ  ９２０システムは、ＦＤＤ  ＬＴＥ  ９１０アップリンクと同じスペクトルを共有する。２つのシステムは、（ａ）ＦＤＤ  ＬＴＥ  ９１０システムがＵＬデータ伝送を有するサブフレーム間隔９１２の間に、ＴＤＤ  ＬＴＥ  ９２０システムは、ＵＬ又はＤＬのどちらでもない待機中の間隔９２４を有するため、並びに（ｂ）ＴＤＤ  ＬＴＥ  ９２０システムがＵＬ又はＤＬ方向のいずれかで伝送を有するサブフレーム間隔の間に（例えば、９２１、９２３、及び９２２）、ＦＤＤ  ＬＴＥ  ９１０システムは、ＵＬデータ伝送のない待機中のＵＬ間隔（例えば、待機中のＵＬサブフレーム９１４）を有するため、互いに干渉しない。このため、それらの間で干渉せずに同じスペクトルを使用して、２つのシステムは共存する。
【００４６】
同じスペクトルを同時に使用するためのＦＤＤ  ＬＴＥ  ９１０及びＴＤＤ  ＬＴＥ  ９２０ネットワークに関して、それらの動作は、２つのスペクトル共有ネットワークを同時に動作するように設定された１つのｅＮｏｄｅＢによって、又は既存のＴＤＤ  ＬＴＥ  ９２０ネットワークを動作するｅＮｏｄｅＢ、並びに上記第１章及び第２章並びに関連特許及び出願で開示される分散入力分散出力分散アンテナＭＵ−ＭＡＳ  Ｃ−ＲＡＮシステム等の、ＬＴＥタイミング及びフレーム構造と適合する第２のｅＮｏｄｅＢ若しくは別のシステムであり得る第２のネットワーク制御装置の調整のいずれかによって、調整されなければならない。これらの場合のいずれにおいても、ＦＤＤ  ＬＴＥ  ９１０及びＴＤＤ  ＬＴＥ  ９２０システムのフレームの両方は、タイミングに関してだけではなく、サブフレームリソース割り当てに関しても同期されなければならない。例えば、図９の場合では、ＦＤＤ  ＬＴＥ  ９１０システムを制御するシステムは、どのサブフレームがＵＬに使用されるために利用可能であるＴＤＤ  ＵＬサブフレームであるかを認識する必要があり（例えば、ＵＥでの時間及び周波数同期に関してサブフレーム番号０及び番号５で送信されるＴＤＤ  ＤＬ制御信号と対立しない）、そのＦＤＤ  ＵＬサブフレーム９１２のためのそれらのサブフレームのうちの１つを使用する。同じシステムがＴＤＤ  ＬＴＥ  ９２０システムも制御している場合、そのサブフレーム９１２の間にＴＤＤ装置からＵＬをスケジューリングしないようにする必要もあり、ＴＤＤ  ＬＴＥ  ９２０システムを制御しない場合は、どんなシステムが、そのサブフレーム９１２の間にＴＤＤ装置からＵＬをスケジューリングしないようにＴＤＤ  ＬＴＥ  ９２０システムを制御するとしても通知しなければならない。当然のことながら、ＦＤＤ  ＬＴＥ  ９１０システムが、フレーム時間の間に１つを超えるＵＬサブフレームを必要とする場合もあり、その場合、その制御装置は、そのＵＬサブフレームに対する３個のＴＤＤ  ＬＴＥ  ９２０サブフレーム９２２のうちのいずれか又は全てを使用して、上述のように適切に制御又は通知するだろう。いくつかの１０ｍｓのフレームにおいて、ＵＬサブフレームのうちの全てが、ネットワークのうちの１つに割り当てられ、他のネットワークがＵＬサブフレームを得られない場合があることに留意されたい。ＬＴＥ装置は、全てのフレーム時間でＵＬデータを伝送することができるとは予想されず（例えば、ＬＴＥネットワークが混雑しているとき、ＬＴＥ装置は、たとえＵＬサブフレームの一部であっても、それが許可される前に多くのフレーム時間を待つ場合がある）、そのため、本発明の一実施形態は、所与のフレーム内の利用可能なＴＤＤ  ＬＴＥ  ９２０ＵＬサブフレームのうちの全てが１つのネットワークによって利用される（すなわち、他のネットワークのＵＬサブフレームを「欠乏させる（starving）」）場合に、機能する。しかしながら、多過ぎる連続フレームのために１つのネットワークを欠乏させること、又は全体で少な過ぎるＵＬフレームを可能にすることは、不十分なネットワーク性能（例えば、低いＵＬスループット、又は高い往復待ち時間）をもたらし、ある時点で、ＬＴＥ装置��ＵＬデータを伝送しようとするネットワークに取り付けられている場合、ネットワークが使用不可能であると判断し、切断することがある。したがって、ＦＤＤ  ＬＴＥ  ９１０とＴＤＤ  ＬＴＥ  ９２０ネットワークとの間でＵＬサブフレームリソースのバランスを保つ適切なスケジューリング優先度及びパラダイムを確立することは、最良の全体ネットワーク性能並びにユーザ（及び／又はＵＥ）エクスペリエンスをもたらし得る。
【００４７】
独立型ＦＤＤ  ＬＴＥシステムでは利用可能ではない、ＵＬサブフレームリソースのバランスを保つ（及びネットワーク運用者の優先度を満たす）ために利用可能な１つのツールは、図１０に示されるＴＤＤ  ＬＴＥ二重構成である。図９は、ＴＤＤ  ＬＴＥ  ９２０システムのＴＤＤ  ＬＴＥ二重構成１を例示し、１０ｍｓのフレームに１０個のサブフレームの間に、４個のＵＬサブフレーム、４個のＤＬサブフレーム、及び２個の特殊サブフレームが存在する。図１０で見ることができるように、モバイル運用者の必要性及びデータトラフィックパターンに応じて、並びにＵＬサブフレームリソースとＦＤＤ  ＬＴＥ  ９１０ネットワークの必要性とのバランスを保つために、使用することができるいくつかのＴＤＤ  ＬＴＥ二重構成が存在する。ＴＤＤ  ＬＴＥ二重構成はまた、データトラフィックパターンの変更に伴って経時的に変更されてもよい。ＴＤＤ  ＬＴＥ二重構成のうちのいずれも、本発明とともに使用することができる。例えば、構成１では、図９に示されるように、１個のＵＬサブフレームがＦＤＤネットワークに割り当てられ、３個のＵＬサブフレームがＴＤＤネットワークに割り当てられている。ＦＤＤネットワークがより多くのＵＬスループットを急に必要とした場合、２個のＵＬサブフレームをＦＤＤに割り当て、２個を、すぐ次のフレーム時間のＴＤＤのために残すことができる。そのように、ＦＤＤとＴＤＤネットワークとの間でＵＬサブフレームの割り当てを切り替えることは、極めて動的であり得る。
【００４８】
所望に応じて、ＦＤＤ  ＬＴＥ  ９１０とＴＤＤ  ＬＴＥ  ９２０ネットワークとの間のＵＬリソース割り当ては、サブフレーム基準よりも更に一層きめ細かくてもよいことに留意されたい。単一のサブフレーム内のいくつかのリソースブロックをＦＤＤ装置に、その他をＴＤＤ装置に割り当てることも可能である。例えば、ＬＴＥ規格は、ＵＬチャネルにＳＣ−ＦＤＭＡ多重アクセス技法を用いる。したがって、ＦＤＤ及びＴＤＤ装置からのＵＬチャネルは、ＳＣ−ＦＤＭＡスキームを介して同じサブフレーム内の異なるリソースブロックに割り付けられ得る。
【００４９】
最終的に、ＴＤＤ  ＬＴＥ  ９２０ＤＬ又は特殊サブフレームであるだろう間にＦＤＤ  ＬＴＥ  ９１０ＵＬをスケジューリングすることが可能である。１つの検討事項は、それらの接続を維持し、タイミングを維持するためにＴＤＤ  ＬＴＥ  ＵＥによって使用されるＴＤＤ  ＤＬ制御信号（例えば、サブフレーム番号０及び番号５で送信されるＰ−ＳＳ及びＳ−ＳＳブロードキャストシグナリング）が、十分な規則性でＴＤＤ  ＬＴＥ  ＵＥによって受信されなければならず、さもなければＵＥが切断し得るということである。
【００５０】
図１１は、共有チャネルがＦＤＤ  ＵＬチャネルではなく、ＦＤＤ  ＤＬチャネルであることを除いて、図９及び上述のものと同じ概念を示す。図９と同じサブフレームの塗り潰し及び輪郭指定が図１１で使用され、見ることができるように、ＦＤＤトラフィック状況は、ＦＤＤ  ＬＴＥ  １１１０ＵＬチャネルのサブフレームの全てが反転されてデータに使用されており、ＦＤＤ  ＬＴＥ  １１１０ＤＬサブフレームのうちの１個のみがデータに使用され、他のＤＬサブフレームのうちの全てが「待機中」であり、データを伝送していない。同様に、ＴＤＤ  ＬＴＥ  １１２０ＵＬサブフレームのうちの全てがデータに使用される一方で、ＴＤＤ  ＬＴＥ  １１２０ＤＬサブフレームのうちの１つを除く全てがデータに使用され、この場合、ＴＤＤ  ＬＴＥ  １１２０ＬＴＥチャネルは、ＦＤＤ  ＬＴＥ  １１１０ＤＬチャネルと同じ周波数である。組み合わせたＦＤＤ  ＬＴＥ  １１１０及びＴＤＤ  ＬＴＥ  １１２０ネットワークの結果が、ＦＤＤ＋ＴＤＤ  ＬＴＥ  １１２０チャネルに示される。図９の例と同様に、２つのネットワークは、単一の制御装置によって、又は複数の制御装置の調整によって、両方のネットワークが、ユーザ及びユーザ装置に適切な性能を伴って、ネットワーク運用者によって所望される通りに確実に動作するように、それらの間のスケジューリングを伴って、制御することができる。
【００５１】
ＦＤＤ  ＬＴＥ  １１１０ネットワークに取り付けられたＦＤＤ装置は、制御及びタイミング情報に関して、並びにデータに関して、ＤＬ伝送に依存しており、それらは、接続を保つために、十分に規則的に適切な制御信号を受信しなければならないことに留意されたい。本発明の一実施形態では、ＦＤＤ装置は、ＤＬサブフレーム（例えば、サブフレーム番号０及び番号５）上でＴＤＤ  ＬＴＥ  １１２０ネットワークによって送信されるブロードキャストシグナリングを使用して、時間及び周波数同期を得る。異なる実施形態では、ブロードキャストシグナリングを搬送するサブフレーム番号０及び番号５は、ＦＤＤ  ＬＴＥ  １１１０ネットワークに割り付けられ、全てのＦＤＤ装置で時間及び周波数同期を得るために使用される。
【００５２】
上述のように、典型的にＦＤＤ  ＤＬチャネルは、ＦＤＤ  ＵＬチャネルよりもはるかに混雑するが、モバイル運用者がＤＬチャネルの共有を望むのには理由がある場合がある。例えば、いくつかのＵＬチャネルは、スペクトルの規制当局によって、ＵＬ使用のみに制限されている（例えば、隣接するバンドに干渉する出力に関する懸念が存在し得る）。また、いったんモバイル運用者が、そのＦＤＤスペクトルに適合するＴＤＤ装置の提供を開始すると、モバイル運用者は、これらの装置がＦＤＤ装置よりも効率的にスペクトルを使用することを発見する可能性が高く、したがって、ＦＤＤ装置の販売を中止し得る。古いＦＤＤ装置が徐々に置き換えられ、ＴＤＤの装置の割合が増加するにつれて、運用者は、次第により多くのそのスペクトルをＴＤＤ装置に割り当てるが、依然として、市場の残りのＦＤＤ装置との互換性を維持することを望む場合がある。
【００５３】
この目的に向けて、動作中のＦＤＤ装置が少なくなるにつれて、運用者は、ＴＤＤ動作用にＵＬ及びＤＬバンドの両方を使用することを決定し得る。これは図１２に例示され、ＦＤＤ  ＬＴＥ  １２１０は、ＵＬに対して１個及びＤＬに対して１個のみ、使用中のサブフレームを有し、残りは待機中である。各々それぞれがＦＤＤ  ＬＴＥ  １２１０  ＵＬ及びＤＬチャネルを使用する２つのＴＤＤ  ＬＴＥネットワーク１２２０及び１２３０が存在し、ＦＤＤ＋ＴＤＤ  ＬＴＥ  １２４０に示されるように２つのチャネルを共有する３つのネットワークをもたらす。前述のものと同じ柔軟性及び制約が適用され、３つのネットワーク全ての単一の制御装置又は複数の制御装置が存在し得る。２つのＴＤＤネットワークは、独立して、又はキャリアアグリゲーション技法を使用して動作することができる。
【００５４】
運用者は、ＴＤＤを完全に控え、代わりに、既存のＦＤＤネットワークと同じスペクトルであるが、アップリンク及びダウンリンクチャネルが交換された第２のＦＤＤネットワークを追加することを選択し得る。これは図１３に例示され、ＦＤＤ  ＬＴＥ  １３１０ネットワークは、ＤＬチャネルに有利になるように極めて非対称に利用され、そのため１個のサブフレームのみがＵＬに使用され、第２のＦＤＤ  ＬＴＥ  １３２０ネットワークも、ＤＬチャネルに有利になるように極めて非対称に利用されるが、図１３では、ＦＤＤ  ＬＴＥ  １３２０のチャネル割り当ては、ＦＤＤ  ＬＴＥ  １３１０のチャネル順序又は前の図面に示されるチャネル順序とは対照的に、上述のＦＤＤダウンリンクチャネルはＦＤＤアップリンクチャネルと交換されることが分かる。両方のＦＤＤ  ＬＴＥ  １３１０及び１３２０の場合、ＤＬチャネルは、１個のＤＬサブフレームを待機中のまま残し、これは他のネットワークによって使用される１個のＵＬフレームと一致する。ＦＤＤ＋ＴＤＤ  ＬＴＥ  １２３０に示されるようにネットワークが組み合わされるとき、サブフレーム１２３１及び１２３２を除く両方のチャネルのサブフレームの全てがＤＬである。このため、サブフレームのうちの９０％がＤＬに費やされ、これは、ＵＬ及びＤＬに対する対称のスペクトル割り当てよりもそれらがより進化したため、モバイルトラフィックパターンにより良好に一致する。
【００５５】
また、この構造は、ネットワークを管理する制御装置（又は複数の制御装置）が、サブフレーム毎に各ネットワークに割り当てられるＵＬ及びＤＬサブフレームの数を動的に変更することを可能にし、ＦＤＤ装置が両方のネットワークを使用しているという事実にもかかわらず、極めて動的なＵＬ／ＤＬトラフィック適応を図る。
【００５６】
前述の組み合わせたＦＤＤ／ＴＤＤネットワークと同様に、同じ制約がＦＤＤモードに適用され、ＬＴＥ装置は、接続を保ち、良好に動作するために十分な制御及びタイミング情報を受信しなければならず、それらは十分に規則的かつ適切な数のＵＬフレームを必要とする。
【００５７】
２つのＦＤＤネットワークは、独立して、又はキャリアアグリゲーションを通じて動作することができる。
【００５８】
別の実施形態では、既存のアクティブネットワーク（例えば、図９、１１、１２、及び１３における、ＦＤＤ  ＬＴＥ  ９１０、ＦＤＤ  ＬＴＥ  １１１０、ＦＤＤ  ＬＴＥ  １２１０、又はＦＤＤ  ＬＴＥ  １３１０）でＤＬチャネルによって伝送される制御情報は、同じチャネル（例えば、図９、１１、１２、及び１３における、ＴＤＤ  ＬＴＥ  ９２０、ＴＤＤ  ＬＴＥ  １１２０、ＴＤＤ  ＬＴＥ  １２２０、及びＴＤＤ  ＬＴＥ  １２３０又はＦＤＤ  ＬＴＥ  １３２０）を使用する新たなネットワーク（又は複数のネットワーク）を使用して、どのサブフレーム及び／又はリソースブロック、並びに、及び／又は他の間隔が待機中であるかを判断する。このように、新たなネットワーク（複数可）は、既存のアクティブネットワークに干渉することなく、いつ伝送することができるのか（ＤＬ又はＵＬにかかわらず）を判断することができる。この実施形態は、それが単に、既存のアクティブネットワークからのＤＬ伝送内にあるものを受信する新たなネットワーク（複数可）の制御装置の問題であるため、既存のアクティブネットワークのいずれの修正も伴わずに、又は既存のアクティブネットワークの制御装置へのいずれの特殊な接続にも依存せずに、既存のアクティブネットワークのスペクトルを同時に使用することを可能にすることができる。別の実施形態では、既存のアクティブネットワークへの唯一の修正は、新たなネットワーク（複数可）が、ＵＥとの接続を維持するための必須の制御及びタイミング情報を確実に伝送できるようにすることである。例えば、既存のアクティブネットワークは、必須のタイミング及び同期情報が伝送されている時間の間に伝送しないように構成され得るが、さもなければ、修正されずに動作する。
【００５９】
同じスペクトルでネットワークを同時にサポートする上述の実施形態は、ＬＴＥ規格を使用したが、例えば、同様の技法が、他の無線プロトコルで同様に利用されてもよい。
【００６０】
４．ＤＩＤＯ  ＭＵ−ＭＡＳをアクティブに使用されるスペクトルと同時に利用する
第１章及び第２章並びに関連特許及び出願に開示されるように、ＤＩＤＯ  ＭＵ−ＭＡＳ技法は、無線ネットワークの容量を劇的に増加し、装置当たりの信頼性及びスループットを改善し、更に装置の費用を低減することを可能にする。
【００６１】
概して、ＤＩＤＯ技術は、ＵＬ及びＤＬが同じチャネルであるため、ＦＤＤネットワークよりもＴＤＤにおいて効率的に動作し、結果として、ＵＬチャネルにおいて受信される伝送の訓練を使用し、チャネル相互関係を生かすことによってＤＬチャネルに関するチャネル状態情報を導出することができる。また、記載されるように、ＴＤＤモードは、モバイルデータの非対称性に本質的により良好に適合し、より効率的なスペクトル利用を可能にする。
【００６２】
世界の現在のＬＴＥ展開のほとんどがＦＤＤであると仮定すると、第３章で開示される技法を利用することによって、ＦＤＤにアクティブに使用されるスペクトルにＴＤＤネットワークを展開することができ、ＤＩＤＯは、その新たなＴＤＤネットワークとともに使用することができ、それにより、スペクトルの容量を劇的に増加させる。これは、ＵＨＦ周波数がマイクロ波周波数よりもはるかに良好に伝播することにおいて特に重要であるが、ほとんどのＵＨＦモバイル周波数は、ＦＤＤネットワークによって既に使用されている。ＤＩＤＯベースのＴＤＤネットワークを、ＵＨＦスペクトルにおいて既存のＦＤＤネットワークと組み合わせることによって、並外れて効率的なＴＤＤネットワークを展開することができる。例えば、バンド４４は７０３〜８０３ＭＨｚのＴＤＤバンドであり、米国の７００ＭＨｚのＦＤＤバンドの多くと重なり合う。バンド４４装置は、７００ＭＨｚのＦＤＤ装置と同じスペクトルで同時に使用することができ、主要なスペクトルでのＤＩＤＯ  ＴＤＤを可能にする。
【００６３】
ＤＩＤＯは、上述のスペクトル合成技法に重大な新たな制約を追加しない。図１に示されるＤＲＡＮ  １０４は、対象範囲領域の既存のｅＮｏｄｅＢを置き換えるか、又は図４に示されるように、上述の技法を共有するサブフレーム（又はリソースブロック）毎に、既存のｅＮｏｄｅＢ  ４０１に調整されるだろう。
【００６４】
特に、ＤＩＤＯシステムが全システムを制御しており、ＦＤＤネットワークにｅＮｏｄｅＢを提供している場合、ＤＩＤＯは、分散ＤＩＤＯ  ＡＰが、単一のセルラー基地局よりもＵＥに近い可能性が高いことから、ＦＤＤ装置からのＳＲＳ  ＵＬ等のトレーニング信号を使用して、同時に及び同じ周波数帯内で、複数の既存のＦＤＤ装置からのＵＬの空間処理を介してデコードし、このため、既存のＦＤＤ  ＵＬチャネルのスペクトル効率を劇的に増加し、かつ必要とされるＵＬ電力も低下させる（及び／又は、より良好な信号品質を受信する）ことができ、また、最大比合成（ＭＲＣ）、又はＤＩＤＯに関して前に記載されるような他の技法等の信号合成技法を利用することもできる。
【００６５】
このため、ＤＩＤＯは、ＤＩＤＯの利益を、既に展開された既存のＦＤＤ装置のＵＬに適用しつつ、既存のｅＮｏｄｅＢを置き換え、同時にＤＩＤＯ  ＴＤＤ装置で既存のスペクトルを使用することができる。
【図１】
2017519390.tif 000003
【図２】
2017519390.tif 000004
【図３】
2017519390.tif 000005
【図４】
2017519390.tif 000006
【図５】
2017519390.tif 000007
【図６】
2017519390.tif 000008
【図７】
2017519390.tif 000009
【図８】
2017519390.tif 000010
【図９】
2017519390.tif 000011
【図１０】
2017519390.tif 000012
【図１１】
2017519390.tif 000013
【図１２】
2017519390.tif 000014
【図１３】
2017519390.tif 000015
【国際調査報告】
2017519390.tif 000016
2017519390.tif 000017
2017519390.tif 000018